(57)【要約】【課題】画面分割により表示される組み合わせを有する監視画面の簡便な選択操作を可能とする監視用画面表示選択装置を提供する。【解決手段】監視用画面表示選択装置は、ｎ個（ｎは任意の整数）に画面分割されたそれぞれの監視用画面を表示する表示部３と、無線タグチップ１０が埋め込まれた無線タグ実装媒体１１が媒体スタッカ１に挿入されたことを契機に、無線タグチップ１０に登録された情報に基づきｎ個の監視用画面の組み合わせを選択し、対応するそれぞれの監視用画面を表示部３に画面分割して表示させる制御部２とにより構成される。【選択図】図１
2008299703.tif 000002
【特許請求の範囲】
【請求項１】
ｎ個に分割された表示領域に各監視用画面を表示する表示部と、
無線タグチップが埋め込まれた無線タグ実装媒体が挿入されたことを契機に、前記無線タグチップに登録された情報に基づき前記ｎ個の監視用画面の組み合わせを選択し、対応する各監視用画面を前記表示部の各表示領域に表示させる制御部と、
を有することを特徴とする監視用画面表示選択装置。
【請求項２】
１以上の前記無線タグ実装媒体を挿入順に順次格納する媒体スタッカを有し、
前記制御部は、
前記媒体スタッカの最上部に格納された無線タグ実装媒体の無線タグチップに登録されたｎ個の監視画面の組み合わせに対応する各監視用画面を前記表示部の各表示領域に表示させることを特徴とする請求項１に記載の監視用画面表示選択装置。
【請求項３】
前記制御部は、
未登録の無線タグチップが埋め込まれた無線タグ実装媒体が前記媒体スタッカの最上部に格納された場合、前記未登録の無線タグチップに、前記無線タグ実装媒体が挿入された時点で前記表示部の各表示領域に表示されていたｎ個の監視用画面の組み合わせを登録することを特徴とする請求項２に記載の監視用画面表示選択装置。
【請求項４】
前記制御部は、
前記媒体スタッカから前記最上部に格納された無線タグ実装媒体が引抜かれたことを契機に、前記無線タグ実装媒体の引抜き後、前記媒体スタッカの最上部に格納される無線タグ実装媒体に埋め込まれた無線タグチップに記憶されてあるｎ個の監視画面の組み合わせに対応するｎ個の監視用画面を前記表示部の各表示領域に切り換え表示させることを特徴とする請求項２に記載の監視用画面表示選択装置。
【請求項５】
運転員によって指示入力が行なわれる入力部を有し、
前記制御部は、
前記入力部を介して変更指示が入力された場合に、前記媒体スタッカの最上部に格納された無線タグ実装媒体に埋め込まれた無線タグチップに登録されている前記表示部の各表示領域に表示中のｎ個の監視用画面の組み合わせに関する情報を消去して無選択状態とすることを特徴とする請求項４に記載の監視用画面表示選択装置。
【請求項６】
前記無線タグ実装媒体は、
前記ｎ個の監視用画面のタイトル、もしくはサムネイルが印刷されるシール貼付面を有することを特徴とする請求項１に記載の監視用画面表示選択装置。
【発明の詳細な説明】
【技術分野】
【０００１】
本発明は、特に、発電所等のプラント監視に好適な監視用画面表示選択装置に関するものである。
【背景技術】
【０００２】
発電所等のプラント監視の分野では、プラント全体におよぶ多種多様な制御対象の現状認識が必要であり、そのため、ＨＭＩ（Ｈｕｍａｎ  Ｉｎｔｅｒｆａｃｅ）装置を用いて相当数の監視画面の表示ならびにそれぞれに対する操作が行われる。また、一度に多数のデータを認識する必要があるため、画面を多数の区画に分割し（独立した表示領域を複数有する）、それぞれの区画に別々の監視画面を表示することが行われる。
【０００３】
一方、前記した各監視画面の呼び出しは、複数の階層から構成されるメニュー画面を用いて行なわれることが多く、更に、複数の監視画面の表示は、その任意の組み合わせをメニュー登録することによって使い勝手の改善をはかっている。
しかしながら、メニューから必要な画面を呼び出す場合、複数階層の画面操作が必要であり、目的とする画面が表示されるまでに多大な時間を要し、そのために運転員にかかる負担が大きい。また、複数区画への監視画面の呼び出しは、その組み合わせが多数に及ぶため、ボタンやメニューへの登録操作が複雑になり、また、呼び出す際に登録したボタンやメニューの認識自体が困難になり誤操作の要因になっていた。
【０００４】
これらを解決するために、従来、画面上の図形表示領域への直接の接触により選択情報を指示することでメニュー階層を辿ることなく選択した画面の迅速な表示を可能とするプロセス選択用画面表示選択装置（例えば、特許文献１参照）が知られている。また、原子力発電プラントの監視・操作を行なうために、百数十程度ある画面から目的の画面を１操作で行うことにより運転員の負担を軽減するＣＲＴ（Ｃａｔｈｏｄｅ  Ｒａｙ  Ｔｕｂｅ；ブラウン管）表示システム（例えば、特許文献２参照）も知られている。更には、操作に必要なコンソール画面をＩＣカードに記憶し、このＩＣカードを差し替え、コンソール画面を切り換えることにより、必要なプロセスの運転操作を可能としたプロセス運転操作用コンソール（例えば、特許文献３参照）も知られている。
【特許文献１】特開平８−１２９４７３号公報
【特許文献２】特開平８−１７１４７２号公報
【特許文献３】特開昭６３−１７５９０２号公報
【発明の開示】
【発明が解決しようとする課題】
【０００５】
前記した特許文献１、２に開示された技術よれば、１操作で目的とする画面が表示されるため、メニュー登録の手間、および目的とする画面を呼び出す際のメニュー階層を展開するための手間と時間が省略され、したがって、運転員の負荷が軽減され、迅速な画面表示が可能である。しかしながら、１操作で表示される目的画面は１画面に全画面表示され、１画面に複数の監視画面が区画割りされ表示される分割画面には適用できない。また、特許文献３に開示された技術によれば、画面に表示される対象はキーボード配列等のコンソール画面であり、表示対象はもとよりＩＣカードに記憶される内容も画面分割された監視画面の組み合わせを意図するものではないため、画面分割されたプロセス監視用画面に適用することは困難である。
【０００６】
本発明は前記した課題を解決するためになされたものであり、画面分割により表示される組み合わせを有する監視画面の簡便な選択操作を可能とする監視用画面表示選択装置を提供することを目的とする。
【課題を解決するための手段】
【０００７】
前記した課題を解決するために、本発明の監視用画面表示選択装置は、ｎ個（ｎは任意の整数）に画面分割されたそれぞれの監視用画面を表示する表示部と、制御部とを有し、制御部が、無線タグチップが埋め込まれた無線タグ実装媒体が挿入されたことを契機に、無線タグチップに登録された情報に基づきｎ個の監視用画面の組み合わせを選択し、対応するそれぞれの監視用画面を表示部に画面分割して表示させる構成としたものである。
【発明の効果】
【０００８】
本発明によれば、画面分割により表示される組み合わせを有する監視画面の簡便な選択操作を可能とする監視用画面表示選択装置を提供することができる。
【発明を実施するための最良の形態】
【０００９】
図１は、本発明の実施の形態に係る監視用画面表示選択装置の内部構成を示すブロック図である。
図１に示されるように、本発明の実施の形態に係る監視用画面表示選択装置は、媒体スタッカ１と、制御部２（ＨＭＩ本体）と、表示部３（ＬＣＤ：Ｌｉｑｕｉｄ  Ｃｒｙｓｔａｌ  Ｄｉｓｐｌａｙ）と、入力部４、５とにより構成される。
【００１０】
媒体スタッカ１は、後記する無線タグリーダライタ（Ｒ／Ｗ）１２を内蔵している。そして、運転員により媒体スタッカ１の挿入口に挿入される。例えば、カード状の無線タグ実装媒体１１には、無線タグチップ１０が埋め込まれており、媒体スタッカ１は、内蔵された無線タグＲ／Ｗ１２により、挿入された無線タグ実装媒体１１（無線タグチップ１０）を挿入順に読み取り、読み取った内容を制御部２へ出力する。
なお、無線タグチップ１０には、表示部３に画面分割され表示される監視画面の組み合わせが登録かつ記憶されてあるものとする。ここでは、図１の下部に示されるように、“１００１００１”のＩＤを有する無線タグチップ１０には、監視画面の組み合わせ（Ａ〜Ｄ）を、“１００１００２”のＩＤを有する無線タグチップは、監視画面の組み合わせ（Ｅ〜Ｈ）を“１００１００３”のＩＤを有する無線タグチップは、監視画面の組み合わせ（Ｉ〜Ｌ）があらかじめ登録され記憶されているものとする。
【００１１】
制御部２は、媒体スタッカ１に無線タグ実装媒体１１が挿入されたことを契機に、無線タグ実装媒体１１に埋め込まれた無線タグチップ１０に登録された情報に基づき監視用画面の組み合わせを選択し、対応する各監視用画面を表示部３の各表示領域に表示させる、ＨＭＩ装置として使用される。詳細は後記する。
表示部３は、ｎ個（ｎは任意の整数）に分割された表示領域（ここでは、区画＃１〜区画＃４）に、制御部２により生成される各監視用画面の組み合わせを表示する、例えば、ＬＣＤにより構成される表示モニタである。ここでは、“１００１００１”のＩＤを有する無線タグチップ１０が埋め込まれた無線タグ実装媒体１１が表示の対象になっている。また、入力部４、５は、キーボードやマウス等、運転員によって指示入力が行なわれる入力デバイスであり、ここでは、無線タグ実装媒体１１に埋め込まれた無線タグチップ１０の記憶内容更新の際に使用する。詳細は後記する。
【００１２】
図２は、図１に示す制御部２の内部構成を示すブロック図である。図２に示されるように、制御部２は、主制御部２０と、無線タグＲ／Ｗインタフェース部２１と、タグテーブル管理部２２と、タグテーブル２３と、監視画像取得部２４と、画像分割制御部２５と、ＶＲＡＭ（Ｖｉｄｅｏ  ＲＡＭ）２６とにより構成される。
【００１３】
主制御部２０は、媒体スタッカ１に無線タグ実装媒体１１が挿入されたことを契機に、無線タグチップ１０に登録された監視用画面の組み合わせを選択し、対応する各監視用画面を表示部３の各表示領域に表示させる制御部２としての制御中枢となり、接続される無線タグＲ／Ｗインタフェース部２１、タグテーブル管理部２２、監視画像取得部２４と、画像分割制御部２５のシーケンス制御を行なう。
無線タグＲ／Ｗインタフェース部２１は、接続される媒体スタッカ１（無線タグＲ／Ｗ１２）との間のリード・ライトデータの中継を行なうインタフェースとしての機能を担う。タグテーブル管理部２２は、主制御部２０による制御の下、媒体スタッカ１に無線タグ実装媒体１１が挿入され、もしくは引抜きされた時点で更新されるタグテーブル２３の記憶内容を管理する機能を有する。
【００１４】
タグテーブル２３の中には、例えば、図３に示されるように、登録テーブル２３１、スタックリスト２３２、現在表示中タグ２３３が含まれる。
表示部３に区画割りされ表示される画面には、一意の画面番号により認識が可能である。制御部２が内蔵するタグテーブル２３内には、表示部３が画面分割された４つの区画のどこにどの画面を表示しているかを示す登録テーブル２３１が割り付けられ、１個のレコード内に、無線タグチップ１０が有するＩＤ毎の区画番号と画面番号の組み合わせが保存されている。また、スタックリスト２３２は、媒体スタッカ１に挿入されている無線タグ実装媒体１１をその挿入順と共に管理するデータ領域であり、無線タグ実装媒体１１が媒体スタッカ１に挿入される毎に、タグテーブル管理部２２により更新される。なお、現在表示中タグ２３３は、無線タグ実装媒体１１が媒体スタッカ１に挿入される毎に更新され、スタックリスト２３２の最上部にスタックされ現在表示のために有効になっている無線タグチップ１０のＩＤを示すフラグ情報である。
【００１５】
一方、監視画像取得部２４は、プラントの至る所に取り付けられた不図示の監視カメラから不図示の伝送路経由で伝送される映像、および主制御部２０により生成される監視画像を取得して表示のために画像分割制御部２５へ供給する。
画像分割制御部２５は、主制御部２０による制御の下、タグテーブル管理部２２を介して、タグテーブル２３を参照して監視画像取得部２４による取得される画像を合成し、ＶＲＡＭ２６へ描画するとともに、表示部３の表示タイミングに同期してＶＲＡＭ２６へ描画される表示データを読み出し、表示部３に表示する。
【００１６】
図４は、図１に示す媒体スタッカ１及び無線タグ実装媒体１１の内部構成を示すブロック図である。前記した媒体スタッカ１は、筐体内に無線タグＲ／Ｗ１２を内蔵し、また無線タグ実装媒体１１の挿入、引抜きするための挿入口近傍に設置されるガイドや無線タグ実装媒体１１を複数枚格納できる媒体格納箱を備えて構成される媒体スタッカ機構部１３を有する。
無線タグＲ／Ｗ１２は、電気的には、アンテナ１２１と、コントローラ１２２と、ＰＣインタフェース１２３とを有する。アンテナ１２１は、無線タグ実装媒体１１（無線タグチップ１０）に電力を供給する他、転送データを送受信してコントローラ１２２へ供給する。コントローラ１２２は、アンテナ１２１を介して送受信されるデータを変復調した後復号し、ＰＣインタフェース１２３経由で制御部２（無線タグＲ／Ｗインタフェース部２１）へ供給する。また、コントローラ１２２は、媒体スタッカ１には複数枚の無線タグ実装媒体１１が格納されるため、周知の輻輳制御も行い、ここでは、最新の最上部に格納された無線タグ実装媒体１１が有効となり、埋め込まれた無線タグチップ１０に登録された監視用画面の組み合わせが表示部３の各表示領域に画面分割され表示される。
【００１７】
なお、ここでは、無線タグ実装媒体１１に埋め込まれる無線タグチップ１０として、ＲＦＩＤ（Ｒａｄｉｏ  Ｆｒｅｑｕｅｎｃｙ  Ｉｄｅｎｔｉｆｉｅｒ）を使用するものとする。図４に示すように、無線タグチップ１０は、ＲＦ（Ｒａｄｉｏ  Ｆｒｅｑｕｅｎｃｙ）部１０２と、電源整流部１０３と、記憶部１０４と、ロジック部１０５とから構成されるＩＣチップである。ＲＦ部１０２には、それに接続されたコイル状のアンテナ１０１が接続されている。
アンテナ１０１は、前記した無線タグＲ／Ｗ１２のアンテナ１２１と電波によって通信してデータのやり取りを行なう。すなわち、無線タグ実装媒体１１のアンテナ１０１が無線タグＲ／Ｗ１２からの電波を受信することで共振作用により起電力が発生し、これをＩＣチップの一構成である電源整流部１０３が整流して各構成ブロック１０４、１０５へ供給することにより無線タグチップ１０を動作させることができる。また、無線タグＲ／Ｗ１２から供給されるＲ／Ｗコマンドは、ＲＦ部１０２で復調され、記憶部１０４に記憶されたデータは、ロジック部１０５により読み出され、更にＲＦ部１０２で変調され、アンテナ１０１経由で発信される。そして、無線タグＲ／Ｗ１２は、アンテナ１２１により発信されたデータを受信してコントローラ１２２、ＰＣインタフェース１２３経由で制御部２へ引き渡すことによりデータのやり取りが行なわれる。
なお、４．２ＧＨｚ帯で作動する無線タグチップ１０を波長の１／２の長さをもった代ポールアンテナ上に搭載したインレットを用いて無線タグ実装媒体１１を構成しても良い。
【００１８】
図５は、無線タグ実装媒体１１が媒体スタッカ１に挿入された場合の制御部２の動作の流れをフローチャートで示した図である。
以下、図５のフローチャートを参照しながら、図１〜図４に示す本発明の実施の形態に係る監視用画面表示選択装置の無線タグ実装媒体挿入時の動作について詳細に説明する。
【００１９】
まず、運転員により無線タグ実装媒体１１が無線タグＲ／Ｗ１２内蔵の媒体スタッカ１に挿入されると、無線タグ実装媒体挿入イベントが発生する。媒体スタッカ１は、制御部２に対し、無線タグ実装媒体挿入イベントとともに、読み取った無線タグチップ１０のＩＤをコントローラ１２２、ＰＣインタフェース１２３経由で制御部２へ送信する。
制御部２（タグテーブル管理部２２）は、媒体スタッカ１により送信された無線タグ実装媒体１１の挿入イベントと無線タグチップ１０のタグＩＤとを無線タグＲ／Ｗインタフェース部２１を介して受信し、タグテーブル管理部２２を起動して、受信した無線タグ情報の持つタグＩＤを挿入順にタグテーブル２３のスタックリスト２３２にスタックする（ステップＳ５１）。
【００２０】
続いて、制御部２（タグテーブル管理部２２）はタグテーブル２３を参照し、タグＩＤ＝ＸＸＸに該当する監視用画面の組み合わせを登録テーブル２３１から検索して（ステップＳ５２）、登録済みレコードの有無を判定する（ステップＳ５３）。ここで、登録レコードが有る場合は（ステップＳ５３“有り”）、登録テーブル２３１から表示する区画と画面番号の組を読み出して画面分割制御部２５へ供給する。
画面分割制御部２５は、タグテーブル管理部２２から供給される表示区画と画面番号との組に関する情報に基づき、監視画像取得部２４を介して取得される監視用画像をＶＲＡＭ２６に描画し、表示部３の表示タイミングに同期して読み出し、表示する（ステップＳ５４）。また、制御部２は、この時点で画面は最後に媒体スタッカ１に挿入された（最新の）無線タグ実装媒体１１（無線タグ１０に記憶された）に対応した分割画面になっているため、タグテーブル２３に割り付けられ記憶される現在表示中タグ３２３に、タグＩＤ＝ＸＸＸを書き込み更新する（ステップＳ５５）。
【００２１】
一方、ステップＳ５３の処理で、登録済みレコードが無いと判定された場合（ステップＳ５３“無し”）、制御部２（主制御２０）は、更に、現在表示中の画面の組み合わせを、挿入された無線タグ実装媒体１１（無線タグチップ１０）に登録するか否かを問い合わせるため、例えば、図６（ａ）に一例が示される問い合わせ画面を表示部３に表示する（ステップＳ５６）。図６（ａ）は、新規に無線タグ実装媒体１１（無線タグチップ１０）と分割画面との組み合わせを登録する場合に使用される画面構成の一例を示す図である。
前記したように、媒体スタッカ１に挿入された最新の無線タグ実装媒体１１（無線タグチップ１０）のタグＩＤが、タグテーブル２３の登録テーブル２３１に存在しなかった場合、主制御部２０は、媒体スタッカ１に、新規登録を希望する未登録の無線タグ実装媒体１１が挿入されたものと判定して表示部３に問合せ画面を表示し、現在表示されている分割画面の組み合わせを埋め込まれた無線タグチップ１０に登録するか否か問い合わせる（ステップＳ５７）。
【００２２】
ここで、運転員がキーボードやマウス等の入力部４、５を操作することにより、「いいえ」が選択されると（ステップＳ５７“Ｎｏ”）、何もせずに（ＮＵＬＬ）処理を終了する。一方、「はい」が選択されると（ステップＳ５７“Ｙｅｓ”）、表示部３に、例えば、図６（ｂ）に示す登録済み無線タグ実装媒体一覧が表示され、当該登録済み無線タグ実装媒体一覧の下段に割り付けられ表示される登録内容設定欄に、キーボードにより登録内容を入力される。そして、「登録」ボタンの押下により、主制御部２０は、タグテーブル管理部２２を起動し、タグテーブル管理部２２により、タグＩＤ＝ＸＸＸが登録テーブル２３１に新規に登録される（ステップＳ５８）。
【００２３】
前記したように、媒体スタッカ１に挿入された無線タグ実装媒体１１（無線タグチップ１０）のタグＩＤは、先着順にタグテーブル２３のスタックリスト２３２に積上げられ、更新される。ここで、表示部３に表示される分割画面は、最後に積み上げられた（最新の）無線タグ実装媒体１１（無線タグチップ１０）のタグＩＤに対応した監視用画面の組み合わせである。
図３の例では、タグＩＤ“１００１００２”を有する無線タグ実装媒体１１（無線タグチップ１０）がスタックリスト２３２の最上部にスタックされ、そのとき、表示部３には、タグＩＤ“１００１００２”に対応した区画＃１が画面Ｅ、区画＃２が画面Ｆ、区画＃３が画面Ｇ、区画＃４が画面Ｈの表示領域となって表示されている例を示す。
【００２４】
また、タグテーブル２３の所定の領域に割り付けられ記憶される現在表示中タグ２３３には、現在表示されている分割画面の組み合わせに対応する無線タグ実装媒体１１（無線タグチップ１０）のタグＩＤが保存されており、無線タグ実装媒体１１（無線タグチップ１０）による以外のユーザ操作、例えば、キーボードやマウス等の入力部４、５の操作によって表示部３の画面が切替わった場合、“ＮＵＬＬ”が保存され、画面が切替わったことを認識するために使用される。
【００２５】
図７は、無線タグ実装媒体１１が媒体スタッカ１から引抜かれた場合の制御部２の動作の流れをフローチャートで示した図である。
以下、図７のフローチャートを参照しながら、図１〜図４に示す本発明の実施の形態に係る監視用画面表示選択装置の無線タグ実装媒体引抜き時の動作について詳細に説明する。
【００２６】
図７のフローチャートにおいて、まず、運転員により無線タグ実装媒体１１が無線タグＲ／Ｗ１２内蔵の媒体スタッカ１から引抜かれると無線タグ実装媒体引抜きイベントが発生する。媒体スタッカ１は、制御部２に対し、無線タグ実装媒体引抜きイベントとともに、読み取った無線タグチップ１０のタグＩＤ（ここでは、ＸＸＸ）をコントローラ１２２、ＰＣインタフェース１２３経由で制御部２へ送信する。
制御部２（タグテーブル管理部２２）は、媒体スタッカ１により送信された無線タグ実装媒体１１の引抜きイベントと無線タグチップ１０のタグＩＤとを無線タグＲ／Ｗインタフェース部２１を介して受信し、タグテーブル管理部２２を起動して、スタックリスト２３２から受信したタグＩＤに相当するエントリデータを削除する。つまり、タグＩＤ＝ＸＸＸをスタックリストから削除する（ステップＳ７１）。
【００２７】
続いて、タグテーブル管理部２２は、現在、表示部３に表示中の画面がタグＩＤ＝ＸＸＸに対応した監視用画面の組み合わせであるか否かを判定する（ステップＳ７２）。これは、タグテーブル２３の現在表示中タグ２３３に保存されているタグと、受信したタグＩＤ＝ＸＸＸとを比較することにより判定可能である。ここで、違うと判定された場合は（ステップＳ７２“Ｎｏ”）、図７に示す無線タグ実装媒体引抜き処理は終了する。
一方、同じであると判定され場合（ステップＳ７２“Ｙｅｓ”）、タグテーブル管理部２２は、媒体スタッカ１に挿入されている無線タグ実装媒体の１１の有無を判定する（ステップＳ７３）。これは、無線タグＲ／Ｗインタフェース部２１が、無線タグＲ／Ｗ１２のＰＣインタフェース１２３と通信を行い、取得した情報をタグテーブル管理部２２に与えることにより判定可能である。
【００２８】
ここで、媒体スタッカ１に無線タグ実装媒体１１が挿入されていない空で有ると判定された場合（ステップＳ７３“Ｙｅｓ”）、タグテーブル管理部２２は、タグテーブル２３の現在表示中タグ２３３にＮＵＬＬを設定して終了する（ステップＳ７４）。
一方、空で無いと判定された場合（ステップＳ７３“Ｎｏ”）、タグテーブル管理部２２は、媒体スタッカ１の最上部に挿入されている無線タグ実装媒体１１に埋め込まれた無線タグ１０のタグＩＤに該当する監視用画面の組み合わせを登録テーブル２３１から検索し、登録テーブル２３１から表示する区画と画面番号の組を読み出して画面分割制御部２５へ供給する（ステップＳ７５）。画面分割制御部２５は、タグテーブル管理部２２から供給される表示区画と画面番号との組に関する情報に基づき、監視画像取得部２４を介して取得される監視用画像をＶＲＡＭ２６に描画し、表示部３の表示タイミングに同期して読み出し、表示する（ステップＳ７６）。
【００２９】
なお、タグテーブル管理部２２は、この時点で画面は最後に媒体スタッカ１に挿入された（最新の）無線タグ実装媒体１１（無線タグ１０に記憶された）に対応した分割画面になっているため、タグテーブル２３に割り付けられ記憶される現在表示中タグ２３３に、新規のタグＩＤを書き込み更新する（ステップＳ７７）。
【００３０】
以上説明のように本発明の実施の形態に係る監視用画面表示選択装置は、制御部２（ＨＭＩ本体）が、媒体スタッカ１に、無線タグチップ１０が埋め込まれた無線タグ実装媒体１１が挿入されたことを契機に、無線タグチップ１０に登録された情報に基づき任意数（ｎ個）の監視用画面の組み合わせを選択し、対応する各監視用画面を表示部３の各表示領域に表示させることにより、画面分割により表示される組み合わせを有する監視画面の簡便な選択操作を可能とするものである。
なお、ここでは、媒体スタッカ１は、無線タグチップ１０を埋め込んだカード状の無線タグ実装媒体１１を１０枚程度挿入し格納できる容量を有するものとする。また、媒体スタッカ１は、無線タグＲ／Ｗ１２、および制御部２（ＨＭＩ本体）と通信可能なＰＣインタフェースを内蔵し、最上部に格納された無線タグ実装媒体１１（無線タグチップ１０）のみを輻輳制御により正確に読み取り、制御部２へ転送するものである。このように、無線タグ実装媒体１１を複数挿入し格納できる形態とすることで、不使用の無線タグ実装媒体１１を抜く必要がなくなり運転員の利便性が図れる。
【００３１】
また、表示部３は、例えば、ＬＣＤをモニタとして有し、ここでは、４画面を分割表示するものであり、それぞれの区画に独立した監視用画面が表示される。すなわち、媒体スタッカ１に、無線タグチップ１０が埋め込まれた無線タグ実装媒体１１を挿入し、格納すると、その無線タグチップ１０が有するタグＩＤに対応して用意される監視用画面がＬＣＤに表示される。また、制御部２（ＨＭＩ本体）には、キーボードやマウス等の入力デバイス（入力部４、５）も接続ており、従来と同等の操作も可能になっている。但し、ここでは、未登録の無線タグチップ１０に監視用画面の組み合わせを登録するための運転員の指示入力を行なうための手段として用いている。
【００３２】
本発明の実施の形態に係る監視用画面表示選択装置によれば、監視用画面の切り換え操作は、無線タグ実装媒体１１を媒体スタッカ１に挿入し、あるいは引抜くことにより行なわれる。無線タグ実装媒体１１の挿入／引抜きイベントの発生は、媒体スタッカ１が内蔵する無線タグＲ／Ｗ１２により読み取られる無線タグチップ１０（無線タグ実装媒体１１）が一意に持つＩＤとともに、媒体スタッカ１から制御部２（ＨＭＩ本体）に送信される。そして、無線タグ実装媒体１１の挿入時、表示部３に表示される画面は、挿入される無線タグチップ１０のＩＤに対応した監視用画面の組み合わせ表示に切替わる。
また、制御部２（ＨＭＩ本体）は、媒体スタッカ１に格納されている無線タグ実装媒体１１と、その挿入順についても管理しており、引抜き時には、引抜かれた無線タグ実装媒体１１が現在表示中画面に相当するものであった場合は、直前に挿入されていた無線タグ実装媒体１１（無線タグチップ１０）のＩＤに対応した監視用画面の組み合わせ表示に切替わる。
【００３３】
なお、運転員が無線タグ実装媒体１１を挿入することにより表示部３に表示された監視用画面の組み合わせを、例えば、キーボードやマウス等の入力部４、５による通常操作によって変更した場合、表示部３に表示中の監視用画面の記憶が消去され、無選択状態となってこの場合、無線タグ実装媒体１１を引抜いても画面表示は変化しない。
また、制御部２（登録テーブル２３１）に登録されていない無線タグチップ１０が埋め込まれた無線タグ実装媒体１１が媒体スタッカ１に挿入されると、制御部２（ＨＭＩ本体）は、新規登録であると判定し、例えば、図６（ａ）に示す現在表示中の監視画面の組み合わせを登録するための画面表示を行い、登録テーブル２３１に、現在表示中の監視画面の組み合わせと新規登録のための無線タグ実装媒体１１（無線タグチップ１０）のＩＤとを対応付けて記憶させる。
【００３４】
なお、この登録画面から任意の登録文字列を記憶させることができ、これを図６（ｂ）に示す登録済み無線タグ実装媒体一覧画面によって確認することができる。また、登録を削除した場合、登録済み無線タグ実装媒体一覧画面を表示し、この中から削除したいレコードを削除することもできる。更に、登録済み無線タグ実装媒体一覧画面そのものの表示も無線タグ実装媒体１１により登録することで、この無線タグ実装媒体１１を持った権限ある人間のみ登録削除操作を可能とする使い方も可能である。
【００３５】
また、図８に示されるように、登録済みの無線タグ実装媒体１１の片面にはシールが貼付されており、登録したタイトル（図８（ａ））、監視画面のサムネイルを貼付する（図８（ｂ））ことで、運転員は、無線タグ実装媒体１１と表示される監視画面との対応付けを即座に行うことが可能になる。
また、プラント監視等において通常用いられるＨＭＩシステムでは、複数台のＨＭＩ装置によって運転監視を行うことが普通であるため、タグテーブル２３に割り付けられ記憶される登録テーブル２３１は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の通信ネットワークを介して他の監視用画面表示選択装置と共有し、マージやコピーを行うことが可能である。このようにすることで運転員は、登録した監視用画面表示選択装置のみならず、他の監視用画面表示選択装置でも同様の無線タグ実装媒体１１を使用することができる。
【００３６】
前記した本発明の実施の形態に係る監視用画面表示選択装置によれば、運転員は、無線タグチップ１０が埋め込まれた無線タグ実装媒体１１を媒体スタッカ１に抜差しするだけで監視画面の切り換えを簡単に行なうことができる。この用途としては、監視用画面を順次切り換え、全体を監視する、特に、プラント制御に好適である。また、ホームセキュリティの分野に用いても同様の効果が得られる。
なお、図２に示す制御部２が有する各構成ブロックの機能は、全てをハードウェアによって実現しても、あるいはその少なくとも一部をソフトウェアで実現してもよい。例えば、主制御部２０、タグテーブル管理部２２におけるデータ処理は、１または複数のプログラムによりコンピュータ上で実現してもよく、また、その少なくとも一部をハードウェアで実現してもよい。
【図面の簡単な説明】
【００３７】
【図１】本発明の実施の形態に係る監視用画面表示選択装置の内部構成を示すブロック図である。
【図２】図１に示す制御部２の内部構成を示すブロック図である。
【図３】図２に示すタグテーブルと監視用画面の組み合わせとの関係を説明するために示した図である。
【図４】図１に示す媒体スタッカ１の内部構成を示すブロック図である。
【図５】本発明の実施の形態に係る監視用画面表示選択装置の無線タグ実装媒体挿入時の動作を示すフローチャートである。
【図６】本発明の実施の形態に係る監視用画面表示選択装置で使用される画面構成の一例を示す図である。
【図７】本発明の実施の形態に係る監視用画面表示選択装置の無線タグ実装媒体引抜き時の動作を示すフローチャートである。
【図８】本発明の実施の形態に係る監視用画面表示選択装置に使用される無線タグ実装媒体のシール貼付面を説明するために示した図である。
【符号の説明】
【００３８】
１      媒体スタッカ
２      制御部２（ＨＭＩ本体）
３      表示部（ＬＣＤ）
４、５  入力部
１０    無線タグチップ（ＲＦＩＤ）
１１    無線タグ実装媒体
１２    無線タグリーダライタ
２０    主制御部
２１    無線タグＲ／Ｗインタフェース部
２２    タグテーブル管理部
２３    タグテーブル
２４    監視画像取得部
２５    画像分割制御部
２６    ＶＲＡＭ
２３１  登録テーブル
２３２  スタックリスト
２３３  現在表示中タグ
【図１】
2008299703.tif 000003
【図２】
2008299703.tif 000004
【図３】
2008299703.tif 000005
【図４】
2008299703.tif 000006
【図５】
2008299703.tif 000007
【図６】
2008299703.tif 000008
【図７】
2008299703.tif 000009
【図８】
2008299703.tif 000010